(57)【要約】【課題】美観を損なうことなく薄型化及び狭額縁化を図ることができる表示装置及びテレビジョン受信機を提供する。【解決手段】表示装置１１は、光源２５１が発した光が入射する端面及び該端面に入射した光が放出される一面を有する導光板２３と、該導光板２３の前記一面が開口に向かうよう前記導光板２３を収容する皿状の収容体３と、該収容体３の前記開口から放出される光によって照明される表示パネル２１とを備える表示装置１１であって、前記収容体３は、端面に凹部３０４が設けられ、一面が前記導光板２３の他面に向かう底板３０と、該底板３０の周囲に配され、内面に係合部３１２が設けられた側板３１と、一部（嵌入部３５１）が前記凹部３０４に嵌め入れられ、他部（連結部３５２）が前記係合部３１２に係合することによって、前記底板３０及び前記側板３１を連結する連結部材３５とを有する。【選択図】図４
2018107822.tif 000002
【特許請求の範囲】
【請求項１】
光源が発した光が入射する端面及び該端面に入射した光が放出される一面を有する導光板と、
該導光板の前記一面が開口に向かうよう前記導光板を収容する皿状の収容体と、
該収容体の前記開口から放出される光によって照明される表示パネルと
を備える表示装置であって、
前記収容体は、
端面に凹部が設けられ、一面が前記導光板の他面に向かう底板と、
該底板の周囲に配され、内面に係合部が設けられた側板と、
一部が前記凹部に嵌め入れられ、他部が前記係合部に係合することによって、前記底板及び前記側板を連結する連結部材と
を有することを特徴とする表示装置。
【請求項２】
前記底板は、２つの金属層の間に合成樹脂層が介在している複合板であり、
前記凹部は、前記合成樹脂層に設けられていることを特徴とする請求項１に記載の表示装置。
【請求項３】
前記連結部材の前記一部は弾性を有し、前記凹部の内面に接触して圧縮されていることを特徴とする請求項１又は２に記載の表示装置。
【請求項４】
前記連結部材の前記一部は、
前記連結部材の前記他部に連続する基部と、
該基部に取り付けられている弾性部材と
を有することを特徴とする請求項３に記載の表示装置。
【請求項５】
前記凹部の内面には穴が設けられており、
前記連結部材の前記一部には、前記穴に挿入される方向に付勢され、前記穴の内面に係合する突起が設けられていることを特徴とする請求項３又は４に記載の表示装置。
【請求項６】
前記連結部材の前記一部は、
前記連結部材の前記他部に連続する嵌入基部と、
該嵌入基部に接触しており、前記突起が設けられている嵌入部材と
を有し、
前記嵌入基部及び前記嵌入部材の一方には、凹状部が設けられており、
前記嵌入基部及び前記嵌入部材の他方には、前記凹状部の内面に係合する凸状部が設けられていることを特徴とする請求項５に記載の表示装置。
【請求項７】
前記係合部は、前記側板の前記内面から前記底板の前記端面に向けて突出する凸状をなし、
前記連結部材の前記他部は弾性を有し、前記収容体の前記開口の側から前記係合部に接触することを特徴とする請求項１から６の何れかひとつに記載の表示装置。
【請求項８】
前記収容体は、
前記底板の端面と前記側板との間に介在するスペーサ
を更に有することを特徴とする請求項１から７の何れかひとつに記載の表示装置。
【請求項９】
前記側板の前記内面に、前記底板に沿う方向に突出する突出部が突設されており、
該突出部に、前記底板の側に向けて開口する位置決め穴が設けられており、
前記収容体は、
一部が前記凹部に嵌め入れられ、他部が前記位置決め穴に挿入されることによって、前記底板に対する前記側板の相対的な位置を規定する位置決め部材
を更に有することを特徴とする請求項１から８の何れかひとつに記載の表示装置。
【請求項１０】
前記収容体は、
前記底板の周囲に配され、前記側板に連続しており、内面に前記係合部が設けられていない非係合側板
を更に有し、
該非係合側板の前記内面に、前記底板に沿う方向に突出する突片が突設されており、
一部が前記底板に係合し、他部が前記突片に係合することによって、前記底板に対する前記側板の相対的な位置を規定する位置規定部材
を更に備えることを特徴とする請求項１から９の何れかひとつに記載の表示装置。
【請求項１１】
前記導光板の前記一面を覆い、周縁部に貫通孔が設けられた光学シートと、
一部が前記凹部に嵌め入れられ、他部が前記貫通孔に挿入されることによって、前記光学シートを保持する保持部材と
を更に備えることを特徴とする請求項１から１０の何れかひとつに記載の表示装置。
【請求項１２】
前記連結部材の前記一部が前記凹部に嵌め入れられる方向に長く、前記底板の前記端面に連続する切り欠き孔が、前記底板の前記一面の前記凹部が設けられている部分に設けられていることを特徴とする請求項１から１１の何れかひとつに記載の表示装置。
【請求項１３】
前記連結部材の前記一部は、前記切り欠き孔に挿入される挿入突起を有することを特徴とする請求項１２に記載の表示装置。
【請求項１４】
請求項１から１３の何れかひとつに記載の表示装置と、
テレビジョン放送を受信する受信部と
を備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、導光板を備える表示装置及びテレビジョン受信機に関する。
【背景技術】
【０００２】
従来、表示パネルと光源装置とを備える表示装置が用いられている。光源装置においては、皿状のバックライトシャーシに光源及び導光板が収容されている。光源が発した光は導光板の端面に入射し、導光板の端面に入射した光は導光板の一面から放出される。導光板の一面から放出された光は、バックライトシャーシの開口から放出されて、表示パネルを照明する。
【０００３】
ところで、金属層の間に合成樹脂層が介在した構造を有する複合板は、軽量で剛性が高いので、バックライトシャーシの材料として望ましい。しかしながら、複合板に曲げ又は絞り等の加工を施すことによって皿状のバックライトシャーシを形成した場合、合成樹脂層が破損する虞がある。そこで、複合板製の平板状のバックライトシャーシを底板とし、表示装置が備えるフレーム又はベゼル等を側板とし、底板及び側板をネジで連結することによって、皿状の収容体を形成し、この収容体に導光板を収容することがなされる。この種の表示装置は、例えば特許文献１に開示されている。
【先行技術文献】
【特許文献】
【０００４】
【特許文献１】特許第５６５７７２７号公報
【発明の概要】
【発明が解決しようとする課題】
【０００５】
近年、表示装置の薄型化及び狭額縁化が望まれており、このために、収容体を他部材で覆わず外部に露出させることが考えられる。しかしながら、底板と側板とを連結するネジが外部に露出した場合、表示装置の美観が損なわれる虞がある。
【０００６】
本発明は斯かる事情に鑑みてなされたものであり、その主たる目的は、美観を損なうことなく薄型化及び狭額縁化を図ることができる表示装置及びテレビジョン受信機を提供することにある。
【課題を解決するための手段】
【０００７】
本実施の形態に係る表示装置は、光源が発した光が入射する端面及び該端面に入射した光が放出される一面を有する導光板と、該導光板の前記一面が開口に向かうよう前記導光板を収容する皿状の収容体と、該収容体の前記開口から放出される光によって照明される表示パネルとを備える表示装置であって、前記収容体は、端面に凹部が設けられ、一面が前記導光板の他面に向かう底板と、該底板の周囲に配され、内面に係合部が設けられた側板と、一部が前記凹部に嵌め入れられ、他部が前記係合部に係合することによって、前記底板及び前記側板を連結する連結部材とを有することを特徴とする。
【０００８】
本実施の形態に係る表示装置は、前記底板は、２つの金属層の間に合成樹脂層が介在している複合板であり、前記凹部は、前記合成樹脂層に設けられていることを特徴とする。
【０００９】
本実施の形態に係る表示装置は、前記連結部材の前記一部は弾性を有し、前記凹部の内面に接触して圧縮されていることを特徴とする。
【００１０】
本実施の形態に係る表示装置は、前記連結部材の前記一部は、前記連結部材の前記他部に連続する基部と、該基部に取り付けられている弾性部材とを有することを特徴とする。
【００１１】
本実施の形態に係る表示装置は、前記凹部の内面には穴が設けられており、前記連結部材の前記一部には、前記穴に挿入される方向に付勢され、前記穴の内面に係合する突起が設けられていることを特徴とする。
【００１２】
本実施の形態に係る表示装置は、前記連結部材の前記一部は、前記連結部材の前記他部に連続する嵌入基部と、該嵌入基部に接触しており、前記突起が設けられている嵌入部材とを有し、前記嵌入基部及び前記嵌入部材の一方には、凹状部が設けられており、前記嵌入基部及び前記嵌入部材の他方には、前記凹状部の内面に係合する凸状部が設けられていることを特徴とする。
【００１３】
本実施の形態に係る表示装置は、前記係合部は、前記側板の前記内面から前記底板の前記端面に向けて突出する凸状をなし、前記連結部材の前記他部は弾性を有し、前記収容体の前記開口の側から前記係合部に接触することを特徴とする。
【００１４】
本実施の形態に係る表示装置は、前記収容体は、前記底板の端面と前記側板との間に介在するスペーサを更に有することを特徴とする。
【００１５】
本実施の形態に係る表示装置は、前記側板の前記内面に、前記底板に沿う方向に突出する突出部が突設されており、該突出部に、前記底板の側に向けて開口する位置決め穴が設けられており、前記収容体は、一部が前記凹部に嵌め入れられ、他部が前記位置決め穴に挿入されることによって、前記底板に対する前記側板の相対的な位置を規定する位置決め部材を更に有することを特徴とする。
【００１６】
本実施の形態に係る表示装置は、前記収容体は、前記底板の周囲に配され、前記側板に連続しており、内面に前記係合部が設けられていない非係合側板を更に有し、該非係合側板の前記内面に、前記底板に沿う方向に突出する突片が突設されており、一部が前記底板に係合し、他部が前記突片に係合することによって、前記底板に対する前記側板の相対的な位置を規定する位置規定部材を更に備えることを特徴とする。
【００１７】
本実施の形態に係る表示装置は、前記導光板の前記一面を覆い、周縁部に貫通孔が設けられた光学シートと、一部が前記凹部に嵌め入れられ、他部が前記貫通孔に挿入されることによって、前記光学シートを保持する保持部材とを更に備えることを特徴とする。
【００１８】
本実施の形態に係る表示装置は、前記連結部材の前記一部が前記凹部に嵌め入れられる方向に長く、前記底板の前記端面に連続する切り欠き孔が、前記底板の前記一面の前記凹部が設けられている部分に設けられていることを特徴とする。
【００１９】
本実施の形態に係る表示装置は、前記連結部材の前記一部は、前記切り欠き孔に挿入される挿入突起を有することを特徴とする。
【００２０】
本実施の形態に係るテレビジョン受信機は、本実施の形態に係る表示装置と、テレビジョン放送を受信する受信部とを備え、該受信部にて受信したテレビジョン放送に基づいて、前記表示装置に映像を表示するようにしてあることを特徴とする。
【発明の効果】
【００２１】
本実施の形態の表示装置及びテレビジョン受信機による場合、美観を損なうことなく薄型化及び狭額縁化を図ることができる。
【図面の簡単な説明】
【００２２】
【図１】実施の形態１に係る表示装置を備えるテレビジョン受信機を略示する斜視図である。
【図２】テレビジョン受信機を略示する背面図である。
【図３】テレビジョン受信機を略示する側面図である。
【図４】表示装置の一部を略示する断面図である。
【図５】表示装置の他部を略示する断面図である。
【図６】表示装置が備える底板の要部を略示する斜視図である。
【図７】連結部材の底板への取り付けを説明する断面図である。
【図８】表示装置が備える側板への底板の取り付けを説明する断面図である。
【図９】表示装置が備える側板への底板の取り付けを説明する断面図である。
【図１０】実施の形態２に係るテレビジョン受信機が備える表示装置の要部を略示する断面図である。
【図１１】実施の形態３に係るテレビジョン受信機が備える表示装置の一部を略示する断面図である。
【図１２】表示装置の他部を略示する断面図である。
【図１３】表示装置の更に他部を略示する断面図である。
【図１４】表示装置が備える連結部材を略示する斜視図である。
【図１５】表示装置が備える連結部材を略示する分解斜視図である。
【図１６】実施の形態４に係るテレビジョン受信機が備える表示装置の要部を略示する断面図である。
【図１７】実施の形態５に係るテレビジョン受信機が備える表示装置が有する連結部材及び底板を略示する斜視図である。
【図１８】表示装置の一部を略示する断面図である。
【図１９】実施の形態６に係るテレビジョン受信機が備える表示装置が有する連結部材及び底板を略示する斜視図である。
【図２０】実施の形態７に係るテレビジョン受信機が備える表示装置が有する連結部材及び底板を略示する斜視図である。
【図２１】表示装置の要部を略示する断面図である。
【図２２】連結部材の底板への取り付けを説明する断面図である。
【発明を実施するための形態】
【００２３】
以下、本発明を、その実施の形態を示す図面に基づいて詳述する。
【００２４】
（実施の形態  １．）
図１は、実施の形態１に係る表示装置を備えるテレビジョン受信機を略示する斜視図である。図２は、テレビジョン受信機を略示する背面図である。図３は、テレビジョン受信機を略示する側面図である。
図中１はテレビジョン受信機であり、テレビジョン受信機１は、表示装置１１、受信部１２、及び信号処理部１３を備えている。
表示装置１１は矩形パネル状をなす。表示装置１１には受信部１２及び信号処理部１３が内蔵されている。なお、受信部１２及び信号処理部１３は、表示装置１１に外付けされていてもよい。
【００２５】
表示装置１１は、映像が表示される表示面２１１を有する。テレビジョン受信機１は、例えば図示しないスタンドに支持されて据え置きされるか、又は、図示しない金具に掛止されて壁掛けされる。このとき、表示装置１１の表示面２１１は前側に向けられ、表示装置１１の厚み方向、長手方向、及び短手方向は、前後方向、左右方向、及び上下方向に沿う。
【００２６】
受信部１２は、受信回路が実装された回路基板である。受信部１２は、図示しないアンテナを介して外部からテレビジョン放送を受信し、受信したテレビジョン放送に基づく放送信号を出力する。
信号処理部１３は、信号処理回路が実装された回路基板である。信号処理部１３は、受信部１２が出力した放送信号に所定の信号処理を施すことによって、映像データを出力する。信号処理部１３が出力した映像データに基づく映像は、表示面２１１に表示される。
【００２７】
図４は、表示装置１１の一部を略示する断面図である。図４には、表示装置１１の上辺部近傍の断面図が示されている。図５は、表示装置１１の他部を略示する断面図である。図５には、表示装置１１の下辺部近傍の断面図が示されている。
表示装置１１は、表示パネル２１、光学シート群２２、導光板２３、反射シート２４、光源部材２５、収容体３、ヒートスプレッダ４１、内側支持体４２、外側支持体４３、及びカバー４４を備えている。
【００２８】
表示パネル２１は、光透過型の液晶表示パネルである。表示パネル２１は矩形状をなす。表示装置１１が有する表示面２１１は、表示パネル２１の一面である。
光学シート群２２は、複数枚の光学シートが積層されたものである。光学シート群２２は透光性を有する。光学シート群２２を構成している各光学シートは矩形状をなし、光の拡散機能又は集光機能等を有する。
【００２９】
導光板２３は矩形状をなす。導光板２３は透光材料からなり、例えばアクリル樹脂製である。以下では、導光板２３の一端面を入光端面２３１といい、導光板２３の一面を出光面２３２といい、導光板２３の出光面２３２に対向する面を非出光面２３３という。また、導光板２３の４つの端面の内、入光端面２３１を除く３つの端面を非入光端面２３４，２３４，…という。入光端面２３１から導光板２３の内部に進入した光は、出光面２３２から導光板２３の外部に放出される。
反射シート２４は矩形状をなす。反射シート２４の一面は、光反射性を有する光反射面である。
【００３０】
光源部材２５は、複数の光源２５１，２５１，…、及び光源基板２５２を有する。
各光源２５１は、例えばＬＥＤである。光源基板２５２は短冊状をなす。光源基板２５２の一面には、光源２５１，２５１，…が光源基板２５２の長手方向に並設されている。
【００３１】
収容体３は、底板３０、４つの側板３１〜３４（図１及び図３参照）、複数の連結部材３５，３５，…、及びスペーサ３６を有する。
図６は、底板３０の要部を略示する斜視図である。
図４〜図６に示す底板３０は矩形状をなす。底板３０は、金属層３０１、樹脂層３０２（合成樹脂層）、及び金属層３０３がこの順に積層された複合板である。即ち、樹脂層３０２は、金属層３０１，３０３間に介在している。
【００３２】
底板３０の端面には、凹部３０４が設けられている。凹部３０４は、樹脂層３０２に設けられている。凹部３０４は、例えば複合板を構成する金属層３０１，３０３間に挿入された切削部材によって樹脂層３０２の端面が切削されることによって形成される。複合板の樹脂層３０２に凹部３０４を形成することは、例えば金属板の端面に凹部３０４を形成することよりも容易である。
【００３３】
凹部３０４は、底板３０の一方の長辺部に複数（例えば５個）、適長離隔して並設されている。また、凹部３０４は、底板３０の２つの短辺部に複数（例えば３個）ずつ、適長離隔して並設されている。以下では、底板３０の凹部３０４，３０４，…が設けられている長辺部を上辺部といい、底板３０の凹部３０４，３０４，…が設けられていない長辺部を下辺部という。また、底板３０の２つの短辺部を左右両辺部という。
各凹部３０４の内部には、金属層３０１，３０３が露出している。凹部３０４の内面には、２つの穴３０５，３０５が設けられている。各穴３０５は、金属層３０１を貫通する貫通孔である。
なお、底板３０は複合板に限定されるものではない。
【００３４】
側板３１〜３４は、一体成形された枠体の上枠部、左枠部、右枠部、及び下枠部である。側板３１〜３４夫々は細長い矩形板状である。側板３１〜３４夫々の一面は枠体の外面である。
側板３１の内面の短手方向中央部には、突出部３１１が突設されている。突出部３１１は、側板３１の長手方向の全長に亘る凸条状をなす。突出部３１１の断面は矩形状をなす。
側板３１の内面の短手方向一端部には、係合部３１２が突設されている。係合部３１２は、側板３１の長手方向の全長に亘る凸条状をなす。係合部３１２の断面は矩形状をなす。
【００３５】
側板３２，３３夫々にも、側板３１の突出部３１１及び係合部３１２と同様の突出部３１１及び係合部３１２が設けられている。側板３２，３３夫々の突出部３１１及び係合部３１２は、側板３１の突出部３１１及び係合部３１２に連続している。側板３２の上端部は側板３１の左端部に連続し、側板３３の上端部は側板３１の右端部に連続している。側板３４は、側板３２，３３夫々の下端部に亘る。
【００３６】
各連結部材３５は、嵌入部３５１及び連結部３５２を有する。
嵌入部３５１は弾性を有する。具体的には、嵌入部３５１は、Ｕ字断面を有する板バネ状をなす。嵌入部３５１は、２枚の矩形板３５ａ，３５ｂの一辺部同士が湾曲板を介して連結された形状を有する。矩形板３５ａの外面には、２つの突起３５３，３５３（１つだけ図示）が設けられている。
連結部３５２は弾性を有する。具体的には、連結部３５２は、Ｖ字断面を有する板バネ状をなす。連結部３５２は、２枚の矩形板３５ｃ，３５ｄの一辺部同士が直に連結された形状を有する。矩形板３５ｃは、嵌入部３５１を構成する矩形板３５ａに直角である。
嵌入部３５１及び連結部３５２は、矩形板３５ａのＵ字の先端部と矩形板３５ｃのＶ字の先端部とが連結された形状を有する。
【００３７】
連結部材３５は、例えば、１枚の金属板にポンチ加工を施すことによって突起３５３，３５３を突設し、金属板の突起３５３，３５３を含む一部を、突起３５３，３５３が突設されている面が外面となるように、Ｕ字状に湾曲させ、金属板の残部を、嵌入部３５１のＵ字の開放部を上向きにした場合に連結部３５２のＶ字の開放部が後ろ向きになるよう、Ｖ字状に屈曲させることによって形成される。
以上のような連結部材３５は、構成が簡易である。
【００３８】
図７は、連結部材３５の底板３０への取り付けを説明する断面図である。
各連結部材３５は、連結部材３５の嵌入部３５１が底板３０の凹部３０４に嵌め入れられることによって、底板３０に取り付けられる。
このために、作業者は、嵌入部３５１を摘まみ持つことによって、嵌入部３５１の矩形板３５ａ，３５ｂを接近させる方向に嵌入部３５１に外力を加える。この結果、嵌入部３５１は圧縮される。次に、作業者は、連結部材３５の突起３５３，３５３が底板３０の金属層３０１に向くようにして、圧縮した嵌入部３５１を底板３０の凹部３０４に挿入する。
【００３９】
突起３５３，３５３が底板３０の穴３０５，３０５に達した場合、作業者は嵌入部３５１から手を離す。すると、突起３５３，３５３は、嵌入部３５１の復元力によって、穴３０５，３０５に挿入される方向に付勢される。穴３０５，３０５に挿入された突起３５３，３５３は、穴３０５，３０５の内面に係合する。
以上のような嵌入部３５１の凹部３０４への嵌め入れ作業は容易である。
【００４０】
凹部３０４に嵌め入れられた嵌入部３５１は、凹部３０４の内面（即ち金属層３０１，３０３夫々の内面）に接触することによって、矩形板３５ａ，３５ｂが接近する方向に圧縮される。故に、嵌入部３５１の弾性に基づく復元力が嵌入部３５１に生じる。嵌入部３５１に生じた復元力が嵌入部３５１を凹部３０４の内面に押し付けるので、嵌入部３５１が凹部３０４から抜け落ちることが抑制されると共に、凹部３０４の内部での嵌入部３５１のガタツキが抑制される。しかも、突起３５３，３５３が穴３０５，３０５の内面に係合する。故に、嵌入部３５１が凹部３０４から抜け落ちることが更に抑制される。各突起３５３は、穴３０５に挿入される方向に付勢されるので、突起３５３が穴３０５から抜け落ちる虞はない。
【００４１】
連結部３５２の矩形板３５ｃの外面は、金属層３０１の端面に接し、金属層３０１の外面から直角に突出する。
【００４２】
スペーサ３６は断面矩形状の弾性部材であり、遮光性を有する。スペーサ３６はコ字枠状をなす。
【００４３】
ヒートスプレッダ４１は熱伝導性が高く、例えば金属製である。ヒートスプレッダ４１は断面Ｌ字状をなす。ヒートスプレッダ４１は光源支持部４１１及び放熱部４１２を有する。
光源支持部４１１は矩形板状をなす。光源支持部４１１の一面には、光源支持部４１１及び光源部材２５の光源基板２５２夫々の長手方向が一致するように、光源部材２５が取り付けられている。光源支持部４１１の他面には、複数のネジ穴４１３，４１３，…が設けられている（図５に１つだけ図示）。ネジ穴４１３，４１３，…は、光源支持部４１１の長手方向に並設されている。
【００４４】
放熱部４１２は矩形板状をなす。放熱部４１２は、光源支持部４１１の一面に垂直に、光源支持部４１１の一面の短手方向一端部から突出している。放熱部４１２は、光源支持部４１１の長手方向の両端部に亘る。
放熱部４１２には、放熱部４１２の一面に垂直に、複数の導光板支持部４１４，４１４，…が突設されている（図５に１つだけ図示）。各導光板支持部４１４は円柱状をなし、光源支持部４１１の光源部材２５が取り付けられている面に近接配置されている。光源部材２５の各光源２５１は、隣り合う２つの導光板支持部４１４，４１４間に配されている。
【００４５】
内側支持体４２はＬ字断面を有する棒状をなす。内側支持体４２は２つの支持板４２１，４２２を有する。支持板４２１，４２２はＬ字の一側及び他側である。
支持板４２１は矩形状をなす。支持板４２１には、複数の貫通孔４２３，４２３，…が設けられている（図５に１つだけ図示）。貫通孔４２３，４２３，…は、支持板４２１の長手方向に並設されている。
支持板４２２は矩形状をなす。支持板４２２は、支持板４２１の長手方向の両端部に亘って、且つ、支持板４２１の一面に垂直に、支持板４２１の一面の短手方向一端部から突出している。
支持板４２２の一面には、スペーサ４２４が支持板４２２の一面に垂直に突設されている。スペーサ４２４は、支持板４２２から見て支持板４２１の突出方向とは逆方向に突出している。
【００４６】
外側支持体４３はＬ字断面を有する棒状をなす。外側支持体４３は２つの支持板４３１，４３２を有する。支持板４３１，４３２はＬ字の一側及び他側である。
支持板４３１は矩形状をなす。支持板４３１には、複数の貫通孔４３３，４３３，…が設けられている（図５に１つだけ図示）。貫通孔４３３，４３３，…は、支持板４３１の長手方向に並設されている。
支持板４３２は矩形状をなす。支持板４３２は、支持板４３１の長手方向の両端部に亘って、且つ、支持板４３１の一面に垂直に、支持板４３１の一面の短手方向一端部から突出している。
カバー４４は箱状をなす。
【００４７】
図８及び図９は、側板３１〜３４への底板３０の取り付けを説明する断面図である。
ここで、収容体３の組み立て手順を説明する。
まず、作業者は、連結部材３５，３５，…を底板３０に取り付けた後で、スペーサ３６が底板３０の凹部３０４，３０４，…が設けられた３つの端面を覆うように、スペーサ３６を底板３０に取り付ける。
【００４８】
また、作業者は、反射シート２４、導光板２３、及び光学シート群２２を、反射シート２４の光反射面が導光板２３の非出光面２３３を覆い、光学シート群２２が導光板２３の出光面２３２を覆い、導光板２３の入光端面２３１と底板３０の下辺部の端面とが同じ方向を向くように、底板３０の金属層３０１の外面にこの順に載置する。この結果、底板３０の一面（具体的には金属層３０１の外面）は、導光板２３の非出光面２３３に向かう。
【００４９】
更にまた、作業者は、光源２５１，２５１，…が導光板２３の入光端面２３１に対向し、光源支持部４１１が底板３０の下辺部の端面に対向し、導光板支持部４１４，４１４，…が入光端面２３１に接触するように、ヒートスプレッダ４１の放熱部４１２を底板３０の金属層３０３の外面に接触させる。
次に、作業者は、貫通孔４２３，４２３，…とネジ穴４１３，４１３，…とが対向するように、内側支持体４２の支持板４２１をヒートスプレッダ４１の光源支持部４１１に接触させ、且つ、内側支持体４２の支持板４２１とヒートスプレッダ４１の放熱部４１２との間に光学シート群２２、導光板２３、反射シート２４、及び底板３０を挟む。このとき、作業者は、支持板４２２と導光板２３の周縁部との間に緩衝材４５１を介在させる。
【００５０】
次いで、作業者は、貫通孔４２３，４２３，…と貫通孔４３３，４３３，…とが対向するように、外側支持体４３の支持板４３１を内側支持体４２の支持板４２１に接触させ、且つ、外側支持体４３の支持板４３２を内側支持体４２のスペーサ４２４に接触させる。この後、作業者は、各貫通孔４３３，４２３にこの順に挿通させたネジ４５２をネジ穴４１３に螺合させることによって、外側支持体４３の支持板４３１及び内側支持体４２の支持板４２１をヒートスプレッダ４１の光源支持部４１１に共締めする。
この結果、内側支持体４２の支持板４２１とヒートスプレッダ４１の放熱部４１２とが、光学シート群２２、導光板２３、反射シート２４、及び底板３０を挟持する。光源支持部４１１は、光源２５１，２５１，…を、入光端面２３１に適長離隔して対向するよう支持する。導光板支持部４１４，４１４，…は、入光端面２３１に接触することによって導光板２３を支持する。
【００５１】
次に、作業者は底板３０を側板３１〜３４に取り付ける。このとき、底板３０は、連結部材３５，３５，…を介して、側板３１〜３３に連結される。
具体的には、作業者は、図８に示すように、光学シート群２２、導光板２３、及び反射シート２４を側板３１〜３４に囲まれた空間に向け、底板３０の長辺部に取り付けられている連結部材３５，３５，…夫々の連結部３５２を側板３１の係合部３１２に対向させ、底板３０の２つの短辺部に取り付けられている連結部材３５，３５，…夫々の連結部３５２を側板３２，３３の係合部３１２，３１２に対向させる。このとき、各連結部材３５の連結部３５２におけるＶ字の屈曲部分が側板３１〜３４に囲まれた空間に向く。
以下では、底板３０と側板３１との連結を例示して説明するが、底板３０と側板３２，３３夫々との連結も同様である。
【００５２】
作業者は、図９に示すように、底板３０を、側板３１〜３４に囲まれた空間に接近させる。このとき、各連結部材３５の連結部３５２の矩形板３５ｄが側板３１の係合部３１２の先端部に接触するので、連結部３５２には、矩形板３５ｄが矩形板３５ｃに接近する方向の外力が加えられる。この結果、連結部３５２は圧縮される。
圧縮された連結部３５２が側板３１の突出部３１１と係合部３１２との間の空間に挿入された場合、連結部３５２の復元力によって、連結部３５２が元の形状に戻る。このとき、矩形板３５ｄのＶ字の先端部が係合部３１２の内面に接触する。この結果、連結部材３５を介して底板３０と側板３１とが連結される。
【００５３】
このようにして底板３０及び側板３１〜３３が連結部材３５，３５，…で連結されることによって、皿状の収容体３が組み立てられる。作業者が連結部材３５，３５，…夫々を個別に係合部３１２に係合させる必要がなく、底板３０と側板３１〜３３夫々との連結を同時的に行なうことができるので、収容体３の組み立て作業は容易である。
【００５４】
収容体３は、底板３０の周囲に側板３１〜３４が配された構成である。本実施の形態では、底板３０と側板３４との間には空隙が形成される。しかしながら、各連結部材３５の連結部３５２が収容体３の開口側から係合部３１２に接触することによって連結部３５２が係合部３１２に係合するので、側板３１〜３４から底板３０が抜け落ちることが抑制される。
【００５５】
底板３０の端面と係合部３１２の先端面とは対向配置される。つまり、側板３１〜３３夫々の係合部３１２は、側板３１〜３３夫々の内面から底板３０の端面に向けて突出する。側板３１〜３３夫々の内面からの突出部３１１の突出方向は、底板３０に沿う。
導光板２３は、出光面２３２が収容体３の開口に向かうよう収容体３に収容される。導光板２３の非入光端面２３４と連結部３５２の矩形板３５ｃの外面との間には空隙が設けられる。
【００５６】
スペーサ３６は、底板３０の端面と側板３１〜３３夫々の係合部３１２の先端面との間に介在する。故に、底板３０の端面と側板３１〜３３夫々とが必要以上に接近する虞がない。従って、底板３０の端面と側板３１〜３３夫々との相対的な位置ずれによって各連結部材３５の連結部３５２が圧縮され、係合部３１２と連結部３５２との係合が無用に解除されてしまうことが抑制される。
外側支持体４３の支持板４３１、内側支持体４２の支持板４２１、及びヒートスプレッダ４１の光源支持部４１１は、側板３４と底板３０の下辺部の端面との間に配される。
【００５７】
次に、作業者は、内側支持体４２及び外側支持体４３の支持板４２２，４３２の間に、表示パネル２１の下辺部を挿入する。このとき、作業者は、表示パネル２１と支持板４２２との間に緩衝材４５３を介在させ、表示パネル２１と支持板４３２との間に緩衝材４５４を介在させる。この結果、表示パネル２１は、緩衝材４５３，４５４を介して支持板４２２，４３２に挟持される。
更に、作業者は、表示パネル２１の上辺部及び左右両辺部を、側板３１〜３３夫々の突出部３１１に、緩衝材４５５を介して貼り付ける。
【００５８】
次いで、作業者は、底板３０の金属層３０３の外面に受信部１２及び信号処理部１３を取り付ける。このとき、受信部１２及び信号処理部１３は、底板３０の上下方向中央部よりも下側に取り付けられる。
作業者は、受信部１２と信号処理部１３とを接続し、信号処理部１３と表示パネル２１とを接続する。
次に、作業者は、カバー４４によって、受信部１２、信号処理部１３、底板３０の上下方向中央部よりも下側、及び側板３４の短手方向一端面が覆われるように、カバー４４を底板３０に取り付ける。カバー４４は、例えばネジ留めによって底板３０に取り付けられる。
【００５９】
以上のような表示装置１１（延いてはテレビジョン受信機１）においては、光源２５１，２５１，…が発した光が導光板２３の入光端面２３１に入射して導光板２３の内部に進入する。導光板２３の内部に進入した光は導光板２３の出光面２３２から放出される。出光面２３２から放出された光は、光学シート群２２を透過して収容体３の開口から放出される。収容体３の開口から放出された光は、表示パネル２１を照明する。
導光板２３の非出光面２３３に入射した光は、反射シート２４にて出光面２３２側へ反射するので、非出光面２３３からの漏光が生じる虞はない。
光源２５１，２５１，…が発した熱の一部は、光源基板２５２、光源支持部４１１、及び放熱部４１２に伝わって、外部へ放出される。
【００６０】
光源２５１，２５１，…が発した熱の他の一部は、導光板２３に伝わり、導光板２３を膨張させる。
導光板２３の入光端面２３１は、導光板支持部４１４，４１４，…に接触している。故に、導光板２３の、入光端面２３１が光源に近づく方向の位置ずれを防止することができる。従って、光源２５１，２５１，…と入光端面２３１との離隔距離を一定に保つことができる（図５参照）。
導光板２３の非入光端面２３４と連結部材３５の連結部３５２との間には空隙があるので、膨張した導光板２３の非入光端面２３４が連結部材３５の連結部３５２に接触する虞はない。
【００６１】
図４に示すように、各連結部材３５は、底板３０の内部にて底板３０に取り付けられているので、連結部材３５を底板３０に取り付けるための取り付け部を底板３０の内面に設ける必要がない。従って、表示装置１１の薄型化及び狭額縁化を図ることができる。
収容体３の底板３０の上下方向中央部よりも上側、及び側板３１〜３３は外部に露出している。収容体３を他部材で覆わない分、表示装置１１の薄型化及び狭額縁化を図ることができる。
底板３０と側板３１〜３３夫々とはネジで連結されていない。故に、底板３０と側板３１〜３３夫々とを連結するネジが外部に露出しないので、表示装置１１の美観を向上させることができる。
【００６２】
底板３０の端面と側板３１〜３３夫々の係合部３１２との間にはスペーサ３６が介在しているので、底板３０と側板３１〜３３夫々との隙間から表示装置１１の外部へ漏光すること、及び、底板３０と側板３１〜３３夫々との隙間から表示装置１１の内部へ異物が侵入することが防止されている。更に、スペーサ３６は、底板３０と側板３１〜３３夫々との隙間を埋めて表示装置１１の美観を向上させる。
【００６３】
スペーサ３６を取り外し、底板３０又は側板３１〜３４に適宜の外力を加えれば、各連結部材３５の連結部３５２と係合部３１２との係合が解除されるので、収容体３は分解性が高い。また、収容体３分解後の連結部材３５は再利用可能である。
【００６４】
底板３０と側板３４とを連結部材３５，３５，…を用いて連結することはなされていないが、側板３４は側板３１〜３３と一体なので、特段の問題はない。
底板３０と側板３４との間にはスペーサ３６が介在していないが、底板３０と側板３４との間はカバー４４によって覆われるので、特段の問題はない。
【００６５】
なお、表示装置１１は、テレビジョン受信機１を構成するものに限定されず、例えば、電子看板、又はパーソナルコンピュータ用のモニタ等を構成するものであってもよい。
また、表示装置１１は、表示パネル２１が側板３１〜３３夫々の突出部３１１に貼り付けられる構成に限定されない。
【００６６】
次に、実施の形態２〜７を説明する。実施の形態２〜７のテレビジョン受信機１及び表示装置１１は、実施の形態１のテレビジョン受信機１及び表示装置１１と略同様の構成である。実施の形態２〜７のテレビジョン受信機１及び表示装置１１は、実施の形態１のテレビジョン受信機１及び表示装置１１の作用効果と略同様の作用効果を奏する。以下では、実施の形態１との差異について説明し、その他、実施の形態１と同一の構成要素には同一の符号を付してそれらの説明を省略する。
【００６７】
（実施の形態  ２．）
図１０は、実施の形態２に係るテレビジョン受信機１が備える表示装置１１の要部を略示する断面図である。
本実施の形態の連結部材３５が有する嵌入部３５１は、基部３５４及び弾性部材３５５を有する。
弾性部材３５５は矩形板状のクッション材である。
基部３５４は矩形板状をなし、実施の形態１の矩形板３５ａに相当する。即ち、基部３５４は連結部３５２に連続する。また、基部３５４の一面には突起３５３，３５３が設けられている。ただし、基部３５４の他面には弾性部材３５５が貼り付けられている。弾性部材３５５が、嵌入部３５１に弾性を与える。また、基部３５４は矩形板３５ａよりも厚い。
本実施の形態の連結部材３５が有する連結部３５２においては、矩形板３５ｄのＶ字の先端部が矩形板３５ｃと平行になるよう、矩形板３５ｄが屈曲している。
【００６８】
各連結部材３５は、連結部材３５の嵌入部３５１が底板３０の凹部３０４に嵌め入れられることによって、底板３０に取り付けられる。
このために、作業者は、嵌入部３５１を凹部３０４に挿入し、突起３５３，３５３を穴３０５，３０５の内面に係合させる。このとき、基部３５４と底板３０の金属層３０３との間で嵌入部３５１の弾性部材３５５が圧縮されるので、嵌入部３５１の凹部３０４への嵌め入れ作業は容易である。
【００６９】
凹部３０４に嵌め入れられた嵌入部３５１の弾性部材３５５は、凹部３０４の内面に接触して圧縮される。故に、嵌入部３５１の弾性部材３５５の弾性に基づく復元力が嵌入部３５１に生じる。嵌入部３５１に生じた復元力が嵌入部３５１を凹部３０４の内面に押し付けるので、嵌入部３５１が凹部３０４から抜け落ちることが抑制されると共に、凹部３０４の内部での嵌入部３５１のガタツキが抑制される。
本実施の形態の連結部材３５の場合、基部３５４の剛性によって、連結部材３５の強度を向上させることができる。
【００７０】
（実施の形態  ３．）
図１１は、実施の形態３に係るテレビジョン受信機１が備える表示装置１１の一部を略示する断面図である。図１２は、表示装置１１の他部を略示する断面図である。図１３は、表示装置１１の更に他部を略示する断面図である。図１１〜図１３には、表示装置１１の上辺部近傍の断面図が示されている。図１１には、後述する連結部材３７の近傍が示されている。図１２には、後述する保持部材４６の近傍が示されている。図１３には、後述する位置決め部材３８の近傍が示されている。
【００７１】
光学シート群２２の上辺部には、複数のタブ２２１，２２１，…が上向きに突設されている（図１１及び図１２に１つだけ図示）。各タブ２２１には、貫通孔２２２が設けられている。貫通孔２２２，２２２，…夫々は、光学シート群２２の周縁部に設けられた貫通孔である。
収容体３の底板３０には、凹部３０６，３０６，…が設けられている。各凹部３０６の構成は凹部３０４と同様である。故に、凹部３０６の内面には、２つの穴３０５，３０５が設けられている。凹部３０６，３０６，…は、凹部３０４，３０４，…に一対一対応で隣り合う。
側板３１の突出部３１１には、底板３０側に向けて開口した位置決め穴３１３を有するボス３１４が突設されている。ボス３１４は、側板３１の長手方向に沿って複数並設されている。同様に、側板３２，３３の突出部３１１，３１１夫々にも、ボス３１４，３１４，…が設けられている。
【００７２】
図１４は、連結部材３７を略示する斜視図である。図１４には保持部材４６及び位置決め部材３８も図示されている。図１５は、連結部材３７を略示する分解斜視図である。図１５には保持部材４６も図示されている。
【００７３】
収容体３は、実施の形態１の連結部材３５，３５，…に替えて、連結部材３７，３７，…を有する。
各連結部材３７は、嵌入部３７１及び連結部３７２を有する。
嵌入部３７１は、嵌入基部３７３及び嵌入部材３７４を有する。
連結部３７２は、連結本体３７５及び連結支持部３７６を有する。連結本体３７５の構成は、実施の形態１又は実施の形態２の連結部３５２と同様である。連結本体３７５が、連結部３７２に弾性を与える。
【００７４】
嵌入基部３７３は矩形板状をなし、実施の形態１の矩形板３５ａに相当する。即ち、嵌入基部３７３は連結本体３７５に連続する。ただし、嵌入基部３７３は中央部にコ字状の開口３７ａが設けられており、嵌入基部３７３における開口３７ａに囲まれた部分がく字状の板バネ３７ｂである。板バネ３７ｂが、嵌入部３７１に弾性を与える。また、嵌入基部３７３の一面には２つの凸状部３７ｃ，３７ｃが設けられている。
【００７５】
嵌入基部３７３を形成するためには、例えば、１枚の金属板にポンチ加工を施すことによって凸状部３７ｃ，３７ｃを突設し、この金属板を切り欠くことによって開口３７ａを設け、開口３７ａに囲まれた部分を屈曲させることによって板バネ３７ｂを設けることがなされる。
【００７６】
嵌入部材３７４は嵌入基部３７３よりも厚くて剛性が高い矩形板状をなす。嵌入部材３７４の一面には例えばポンチ加工によって突起３５３が設けられている。嵌入部材３７４には２つの凹状部３７ｄ，３７ｄが設けられている。各凹状部３７ｄは貫通孔状をなす。
なお、嵌入基部３７３に凹状部３７ｄが設けられており、嵌入部材３７４に凸状部３７ｃが設けられていてもよい。
【００７７】
連結部３７２が有する連結支持部３７６は矩形板状をなす。連結支持部３７６は、嵌入部材３７４の一面の周縁部から突起３５３の突出方向と同じ方向に突出している。
【００７８】
保持部材４６は、嵌入部４６１及び保持部４６２を有する。
嵌入部４６１は、基部４６３及び弾性部材４６４を有する。基部４６３及び弾性部材４６４の構成は、実施の形態２の基部３５４及び弾性部材３５５と同様である。ただし、基部４６３は連結部材３７の嵌入基部３７３と一体に設けられており、基部４６３の両面は連結部材３７の嵌入基部３７３の両面と面一である。また、基部４６３の一面には突起３５３が設けられている。基部４６３の他面に貼り付けられている弾性部材４６４が、嵌入部４６１に弾性を与える。なお、嵌入部４６１の構成は、実施の形態１の嵌入部３５１又は連結部材３７の嵌入部３７１の構成と同じでもよい。
【００７９】
保持部４６２は、保持突出部４６５及び保持本体４６６を有する。
保持突出部４６５は矩形板状をなす。保持突出部４６５は、基部４６３の一面の周縁部から突起３５３の突出方向と同じ方向に突出している。保持突出部４６５は、連結部材３７の連結支持部３７６に隣り合う。
保持本体４６６は矩形板状をなす。保持本体４６６は、保持突出部４６５の先端部に突設されている。保持本体４６６の両面は、保持突出部４６５の両面と面一である。
【００８０】
各連結部材３７及び保持部材４６は、嵌入部３７１，４６１が底板３０の凹部３０４に同時的に嵌め入れられることによって、底板３０に取り付けられる。
このために、作業者は、連結部材３７の凸状部３７ｃ，３７ｃを凹状部３７ｄ，３７ｄに挿入することによって、嵌入基部３７３と嵌入部材３７４とを接触させる。次に、作業者は、嵌入部３７１，４６１を凹部３０４に挿入し、突起３５３，３５３を穴３０５，３０５の内面に係合させる。このような嵌入部３７１の凹部３０４への嵌め入れ作業は容易である。
【００８１】
凹部３０４に嵌め入れられた嵌入部３７１の板バネ３７ｂは、凹部３０４の内面に接触して撓む。故に、嵌入部３７１の板バネ３７ｂの弾性に基づく復元力が嵌入部３７１に生じる。嵌入部３７１に生じた復元力が嵌入部３７１を凹部３０４の内面に押し付けるので、嵌入部３７１が凹部３０４から抜け落ちることが抑制されると共に、凹部３０４の内部での嵌入部３７１のガタツキが抑制される。しかも、凸状部３７ｃ，３７ｃが凹状部３７ｄ，３７ｄの内面に係合する。故に、凸状部３７ｃ，３７ｃが凹状部３７ｄ，３７ｄから抜け落ちることが更に抑制される。各凸状部３７ｃは、凹状部３７ｄに挿入される方向に付勢されているので、凸状部３７ｃが凹状部３７ｄから抜け落ちる虞はない。
【００８２】
一方、凹部３０４に嵌め入れられた嵌入部４６１の弾性部材４６４は、凹部３０４の内面に接触して圧縮される。故に、嵌入部４６１の弾性部材４６４の弾性に基づく復元力が嵌入部４６１に生じる。嵌入部４６１に生じた復元力が嵌入部４６１を凹部３０４の内面に押し付けるので、嵌入部４６１が凹部３０４から抜け落ちることが抑制されると共に、凹部３０４の内部での嵌入部４６１のガタツキが抑制される。
【００８３】
更に、突起３５３，３５３が穴３０５，３０５の内面に係合する。故に、嵌入部３７１，４６１が凹部３０４から抜け落ちることが更に抑制される。突起３５３，３５３及び穴３０５，３０５は連結部材３７及び保持部材４６に共通なので、連結部材３７及び保持部材４６夫々に突起３５３，３５３及び穴３０５，３０５を設ける必要がない。従って、底板３０に設けられる穴３０５，３０５，…の個数を削減することができるので、穴３０５，３０５，…が底板３０に設けられることによる底板３０の強度低下を抑制することができる。
【００８４】
また、凹部３０４は連結部材３７及び保持部材４６に共通なので、連結部材３７及び保持部材４６夫々に凹部３０４，３０４を設ける必要がない。従って、底板３０に設けられる凹部３０４，３０４，…の個数を削減することができるので、凹部３０４，３０４，…が底板３０に設けられることによる底板３０の強度低下を抑制することができる。
更に、連結部材３７及び保持部材４６が一体化しているので、作業者が凹部３０４の内部における連結部材３７及び保持部材４６の位置関係を考慮する必要がない。
本実施の形態の連結部材３７及び保持部材４６の場合、嵌入部材３７４及び基部４６３の剛性によって、連結部材３７及び保持部材４６の強度を向上させることができる。
【００８５】
連結部材３７の連結本体３７５は、連結部３５２と同様に側板３１〜３３何れかの係合部３１２に係合する。連結支持部３７６は、底板３０から前方に突出する。連結支持部３７６は、連結本体３７５が導光板２３側に撓むことがないよう、連結本体３７５を支持する。
【００８６】
保持部材４６の保持部４６２が有する保持突出部４６５は、底板３０から前方に突出する。保持本体４６６は、光学シート群２２の貫通孔２２２に挿入される。この結果、保持部材４６は光学シート群２２を保持する。
以上のような保持部材４６は、底板３０の内部にて底板３０に取り付けられているので、保持部材４６を底板３０に取り付けるための取り付け部を底板３０の内面に設ける必要がない。従って、表示装置１１の薄型化及び狭額縁化を図ることができる。
【００８７】
収容体３は、複数の位置決め部材３８，３８，…を更に有する。
各位置決め部材３８は、嵌入部３８１及び位置決め部３８２を有する。
嵌入部３８１は、基部３８３及び弾性部材３８４を有する。基部３８３及び弾性部材３８４の構成は、実施の形態２の基部３５４及び弾性部材３５５と同様である。故に、基部３８３の一面には突起３５３，３５３が設けられている。基部３８３の他面に貼り付けられている弾性部材３８４が、嵌入部３８１に弾性を与える。なお、嵌入部３８１の構成は、実施の形態１の嵌入部３５１、連結部材３７の嵌入部３７１、又は保持部材４６の嵌入部４６１の構成と同じでもよい。
【００８８】
位置決め部３８２は矩形板状をなす。位置決め部３８２は、基部３８３の一面の周縁部から突起３５３の突出方向と同じ方向に突出している。
【００８９】
各位置決め部材３８は、位置決め部材３８の嵌入部３８１が底板３０の凹部３０６に嵌め入れられることによって、底板３０に取り付けられる。
このために、作業者は、嵌入部３８１を凹部３０６に挿入し、突起３５３，３５３を穴３０５，３０５の内面に係合させる。このとき、基部３８３と底板３０の金属層３０３との間で嵌入部３８１の弾性部材３８４が圧縮されるので、嵌入部３８１の凹部３０６への嵌め入れ作業は容易である。
【００９０】
凹部３０６に嵌め入れられた嵌入部３８１の弾性部材３８４は、凹部３０６の内面に接触して圧縮される。故に、嵌入部３８１の弾性部材３８４の弾性に基づく復元力が嵌入部３８１に生じる。嵌入部３８１に生じた復元力が嵌入部３８１を凹部３０６の内面に押し付けるので、嵌入部３８１が凹部３０６から抜け落ちることが抑制されると共に、凹部３０６の内部での嵌入部３８１のガタツキが抑制される。
【００９１】
位置決め部材３８の位置決め部３８２は、位置決め穴３１３に挿入される。この結果、位置決め部材３８は、底板３０に対する側板３１〜３３の相対的な位置を規定する。故に、底板３０の端面と側板３１〜３３夫々とが必要以上に接離する虞がない。従って、底板３０の端面と側板３１〜３３夫々との相対的な位置ずれによって各連結部材３７の連結部３７２が圧縮され、係合部３１２と連結部３７２との係合が無用に解除されてしまうことが抑制される。
【００９２】
以上のような位置決め部材３８は、底板３０の内部にて底板３０に取り付けられているので、位置決め部材３８を底板３０に取り付けるための取り付け部を底板３０の内面に設ける必要がない。従って、表示装置１１の薄型化及び狭額縁化を図ることができる。
【００９３】
（実施の形態  ４．）
図１６は、実施の形態４に係るテレビジョン受信機１が備える表示装置１１の要部を略示する断面図である。
底板３０の下辺部には、貫通孔３０７が設けられている。貫通孔３０７は、底板３０の下辺部の長さ方向の両端部に１つずつ設けられている（図１６に１つだけ図示）。
側板３４（非係合側板）の内面には、突片３４１が突設されている。突片３４１の突出方向は、底板３０に沿う方向である。突片３４１は、底板３０に平行な平板状をなす。突片３４１には、貫通孔３４２が設けられている。
突片３４１は、側板３４の長手方向の両端部に１つずつ設けられている（図１６に１つだけ図示）。
【００９４】
表示装置１１は、位置規定部材４７を更に備える。位置規定部材４７は、本体４７１と２つの突起４７２，４７３と支持片４７４を有する。
本体４７１は棒状をなし、突片３４１と底板３０との間に介在する。本体４７１には、突起４７２，４７３が互いに逆方向に突設されている。突起４７２，４７３夫々は、本体４７１の長手方向両端部に１つずつ設けられている（図１６に１つだけ図示）。
【００９５】
突起４７２，４７３は貫通孔３０７，３４２に挿入される。つまり、位置規定部材４７の突起４７２，４７３は底板３０及び突片３４１に係合する。この結果、位置規定部材４７は、底板３０に対する側板３４（更には側板３４に連続する側板３１〜３３）の相対的な位置を規定する。
底板３０の貫通孔３０７及び貫通孔３０７に挿入されている突起４７２は、カバー４４によって覆われるので、これらが外部に露出して表示装置１１の美観を損なう虞はない。
【００９６】
支持片４７４は本体４７１に突設されている。支持片４７４の突出方向は、突起４７２，４７３夫々の突出方向に垂直である。
光学シート群２２、導光板２３、及び反射シート２４は、支持片４７４及び底板３０に挟持される。表示パネル２１は、緩衝材４５３，４５６を介して支持片４７４及び外側支持体４３の支持板４３１に挟持される。
【００９７】
なお、表示装置１１は、２個の位置規定部材４７，４７を備えていてもよい。この場合、各位置規定部材４７は柱状をなす。位置規定部材４７は、位置規定部材４７の一端部が貫通孔３０７に嵌め込まれることによって、底板３０から突出する。位置規定部材４７の他端部は、貫通孔３４２に挿入される。つまり、位置規定部材４７の一端部及び他端部が底板３０及び突片３４１に係合することによって、位置規定部材４７は、底板３０に対する側板３１〜３４の相対的な位置を規定する。
【００９８】
（実施の形態  ５．）
図１７は、実施の形態５に係るテレビジョン受信機１が備える表示装置１１が有する連結部材３５及び底板３０を略示する斜視図である。
底板３０が有する金属層３０１の、凹部３０４が設けられている部分には、２つの穴３０５，３０５と１つの切り欠き孔３０８とが設けられる。切り欠き孔３０８は、穴３０５，３０５の間に配される。
切り欠き孔３０８は、連結部材３５の嵌入部３５１が凹部３０４に嵌め入れられる方向に長い。また、切り欠き孔３０８は、金属層３０１の端面に連続する。更に、切り欠き孔３０８は、金属層３０１を金属層３０１の厚さ方向に貫通する。
【００９９】
連結部材３５の嵌入部３５１は、２つの突起３５３，３５３と１つの挿入突起３５６とを有する。挿入突起３５６は、突起３５３，３５３の間に配される。挿入突起３５６から突起３５３，３５３夫々までの離隔距離は、切り欠き孔３０８から穴３０５，３０５までの離隔距離と同程度である。挿入突起３５６は、嵌入部３５１の矩形板３５ａの外面に突設される。挿入突起３５６は、例えば突起３５３，３５３と共にポンチ加工によって設けられる。
【０１００】
図１８は、表示装置１１の一部を略示する断面図である。
連結部材３５は、連結部材３５の嵌入部３５１が底板３０の凹部３０４に実施の形態１で説明した手順と同様の手順で嵌め入れられることによって、底板３０に取り付けられる。このとき、作業者は、挿入突起３５６が切り欠き孔３０８に挿入されるようにして、嵌入部３５１を凹部３０４に挿入する。この結果、作業者は、嵌入部３５１を正確に配置することができる。また、作業者が嵌入部３５１を凹部３０４に押し込むと、挿入突起３５６が切り欠き孔３０８の内面に摺動するので、嵌入部３５１の突起３５３，３５３が底板３０の穴３０５，３０５へ案内される。故に、嵌入部３５１の凹部３０４への嵌め入れ作業は容易である。
【０１０１】
嵌入部３５１が凹部３０４に嵌め入れられると、嵌入部３５１の矩形板３５ａ，３５ｂは、嵌入部３５１に生じた復元力によって、金属層３０１，３０３夫々の内面に押し付けられる（図１８に示す矢符参照）。嵌入部３５１に生じた復元力が大きい場合、底板３０は、凹部３０４の開口が広がるようにして変形する（図１８に示す白抜矢符参照）。このとき、底板３０の変形は、金属層３０１に集中する。何故ならば、切り欠き孔３０８が設けられている金属層３０１は、金属層３０３よりも強度が小さく、変形し易いからである。この結果、底板３０の変形が金属層３０３に表れることが抑制される。一方、金属層３０１の変形した部分は収容体３の内部に位置するので、使用者には見えない。従って、表示装置１１の美観を向上させることができる。
【０１０２】
なお、実施の形態２の連結部材３５の基部３５４、又は実施の形態３の連結部材３７の嵌入部材３７４に、挿入突起３５６が設けられてもよい。また、実施の形態３の位置決め部材３８の基部３８３に挿入突起３５６が設けられ、金属層３０１の凹部３０６が設けられている部分に切り欠き孔３０８が設けられてもよい。
【０１０３】
（実施の形態  ６．）
図１９は、実施の形態６に係るテレビジョン受信機１が備える表示装置１１が有する連結部材３５及び底板３０を略示する斜視図である。
底板３０が有する金属層３０１の、凹部３０４が設けられている部分には、１つの穴３０５と２つの切り欠き孔３０８，３０８とが設けられる。穴３０５は、切り欠き孔３０８，３０８の間に配される。
連結部材３５の嵌入部３５１は、２つの挿入突起３５６，３５６と１つの突起３５３とを有する。突起３５３は、挿入突起３５６，３５６の間に配される。突起３５３から挿入突起３５６，３５６夫々までの離隔距離は、穴３０５から切り欠き孔３０８，３０８までの離隔距離と同程度である。
【０１０４】
連結部材３５は、実施の形態５の連結部材３５と同様にして、底板３０に取り付けられる。このとき、実施の形態５と同様の作用効果を奏することができる。
ただし、本実施の形態では金属層３０１の凹部３０４が設けられている部分に２つの切り欠き孔３０８，３０８が設けられるので、金属層３０１は実施の形態５の金属層３０１よりも変形し易い。故に、金属層３０３の変形を更に抑制することができる。
【０１０５】
なお、金属層３０１の凹部３０４が設けられている部分に、３つ以上の切り欠き孔３０８，３０８，…が設けられてもよい。また、１又は複数の切り欠き孔３０８と共に、金属層３０１を変形し易くするための他の手段（例えば金属層３０１の、少なくとも凹部３０４が設けられている部分が金属層３０３よりも薄くしてあること）が講じられてもよい。
しかしながら、金属層３０１の強度が小さすぎる場合、嵌入部３５１を凹部３０４の内部に保持しておくことができなくなる。従って、金属層３０１の強度は、金属層３０３よりも変形し易い程度に小さく、嵌入部３５１を凹部３０４の内部に保持することができる程度に大きい必要がある。
【０１０６】
（実施の形態  ７．）
図２０は、実施の形態７に係るテレビジョン受信機１が備える表示装置１１が有する連結部材３５及び底板３０を略示する斜視図である。
図２１は、表示装置１１の要部を略示する断面図である。
底板３０が有する金属層３０１の、凹部３０４が設けられている部分には、実施の形態６と同様に、１つの穴３０５と２つの切り欠き孔３０８，３０８とが設けられている。穴３０５は円形をなす。
【０１０７】
連結部材３５の嵌入部３５１は、実施の形態６と同様に、２つの挿入突起３５６，３５６と１つの突起３５３とを有する。ただし、嵌入部３５１は、実施の形態６の嵌入部３５１を構成する矩形板３５ａ，３５ｂよりも厚い平板状をなし、実施の形態６の嵌入部３５１よりも高い剛性を有する。また、突起３５３は半球状をなす。突起３５３の外径は穴３０５の内径以上である。
【０１０８】
図２２は、連結部材３５の底板３０への取り付けを説明する断面図である。
連結部材３５は、連結部材３５の嵌入部３５１が底板３０の凹部３０４に嵌め入れられることによって、底板３０に取り付けられる。
このために、作業者は、挿入突起３５６，３５６が切り欠き孔３０８，３０８に同時的に挿入されるようにして、嵌入部３５１を底板３０の凹部３０４に挿入する。
嵌入部３５１が凹部３０４に挿入されると、突起３５３が金属層３０１に接触し、嵌入部３５１が金属層３０３に接触する。突起３５３は半球状なので、嵌入部３５１の凹部３０４への挿入に伴い、突起３５３の基端部から先端部に亘る曲面が金属層３０１に押し付けられ、嵌入部３５１が金属層３０３に押し付けられる。このとき、金属層３０１が、凹部３０４の開口が広がるようにして撓み（図２２参照）、金属層３０３はほとんど変形しない。
【０１０９】
作業者が嵌入部３５１を凹部３０４に押し込むと、挿入突起３５６，３５６が切り欠き孔３０８，３０８の内面に摺動するので、嵌入部３５１の突起３５３が底板３０の穴３０５へ案内される。故に、嵌入部３５１の凹部３０４への嵌め入れ作業は容易である。
突起３５３が底板３０の穴３０５に達した場合、金属層３０１の復元力によって金属層３０１が元の形状に戻ると共に、突起３５３が穴３０５に挿入される。穴３０５に挿入された突起３５３は、穴３０５の内面に係合する。
【０１１０】
突起３５３が穴３０５に挿入されても、金属層３０１は僅かに撓み続ける（図２１参照）。金属層３０１の撓みによって生じる金属層３０１の復元力が、突起３５３を穴３０５の開口周縁部に押し付け、嵌入部３５１を金属層３０３に押し付けるので、嵌入部３５１が凹部３０４から抜け落ちることが抑制されると共に、凹部３０４の内部での嵌入部３５１のガタツキが抑制される。
【０１１１】
なお、実施の形態５〜７において、嵌入部３５１は挿入突起３５６を全く有していなくてもよい。
挿入突起３５６が存在しない場合でも、金属層３０１に切り欠き孔３０８が設けられていれば、底板３０の変形を金属層３０１に集中させたり、撓んだ金属層３０１の復元力によって嵌入部３５１を凹部３０４の内部に保持したりする作用効果を得ることができる。
挿入突起３５６が存在しない場合には、金属層３０１を金属層３０３よりも変形し易くする手段は、切り欠き孔３０８に限定されない。
【０１１２】
最後に、実施の形態についてまとめる。
【０１１３】
本実施の形態に係る表示装置１１は、光源２５１が発した光が入射する端面（入光端面２３１）及び該入光端面２３１に入射した光が放出される一面（出光面２３２）を有する導光板２３と、該導光板２３の前記出光面２３２が開口に向かうよう前記導光板２３を収容する皿状の収容体３と、該収容体３の前記開口から放出される光によって照明される表示パネル２１とを備える表示装置１１であって、前記収容体３は、端面に凹部３０４，３０６が設けられ、一面が前記導光板２３の他面（非出光面２３３）に向かう底板３０と、該底板３０の周囲に配され、内面に係合部３１２が設けられた側板３１〜３３と、一部（嵌入部３５１，３７１）が前記凹部３０４に嵌め入れられ、他部（連結部３５２，３７２）が前記係合部３１２に係合することによって、前記底板３０及び前記側板３１〜３３を連結する連結部材３５，３７とを有することを特徴とする。
【０１１４】
本実施の形態に係る表示装置１１は、前記底板３０は、２つの金属層３０１，３０３の間に合成樹脂層（樹脂層３０２）が介在している複合板であり、前記凹部３０４は、前記樹脂層３０２に設けられていることを特徴とする。
【０１１５】
本実施の形態に係る表示装置１１は、前記連結部材３５，３７の前記嵌入部３５１，３７１は弾性を有し、前記凹部３０４の内面に接触して圧縮されていることを特徴とする。
【０１１６】
本実施の形態に係る表示装置１１は、前記連結部材３５の前記嵌入部３５１は、前記連結部材３５の前記連結部３５２に連続する基部と、該基部に取り付けられている弾性部材３５５とを有することを特徴とする。
【０１１７】
本実施の形態に係る表示装置１１は、前記凹部３０４の内面には穴３０５が設けられており、前記連結部材３５，３７の前記嵌入部３５１，３７１には、前記穴３０５に挿入される方向に付勢され、前記穴３０５の内面に係合する突起が設けられていることを特徴とする。
【０１１８】
本実施の形態に係る表示装置１１は、前記連結部材３７の前記嵌入部３７１は、前記連結部材３７の前記連結部３７２に連続する嵌入基部３７３と、該嵌入基部３７３に接触しており、前記突起が設けられている嵌入部材３７４とを有し、前記嵌入基部３７３及び前記嵌入部材３７４の一方には、凹状部３７ｄが設けられており、前記嵌入基部３７３及び前記嵌入部材３７４の他方には、前記凹状部３７ｄの内面に係合する凸状部３７ｃが設けられていることを特徴とする。
【０１１９】
本実施の形態に係る表示装置１１は、前記係合部３１２は、前記側板３１〜３３の前記内面から前記底板３０の前記端面に向けて突出する凸状をなし、前記連結部材３５，３７の前記連結部３５２，３７２は弾性を有し、前記収容体３の前記開口の側から前記係合部３１２に接触することを特徴とする。
【０１２０】
本実施の形態に係る表示装置１１は、前記収容体３は、前記底板３０の端面と前記側板３１〜３３との間に介在するスペーサ３６を更に有することを特徴とする。
【０１２１】
本実施の形態に係る表示装置１１は、前記側板３１〜３３の前記内面に、前記底板３０に沿う方向に突出する突出部３１１が突設されており、該突出部３１１に、前記底板３０の側に向けて開口する位置決め穴３１３が設けられており、前記収容体３は、一部（嵌入部３８１）が前記凹部３０６に嵌め入れられ、他部（位置決め部３８２）が前記位置決め穴３１３に挿入されることによって、前記底板３０に対する前記側板３１〜３３の相対的な位置を規定する位置決め部材３８を更に有することを特徴とする。
【０１２２】
本実施の形態に係る表示装置１１は、前記収容体３は、前記底板３０の周囲に配され、前記側板３１〜３３に連続しており、内面に前記係合部３１２が設けられていない非係合側板（側板３４）を更に有し、該側板３４の前記内面に、前記底板３０に沿う方向に突出する突片３４１が突設されており、一部（突起４７２）が前記底板３０に係合し、他部（突起４７３）が前記突片３４１に係合することによって、前記底板３０に対する前記側板の相対的な位置を規定する位置規定部材４７を更に備えることを特徴とする。
【０１２３】
本実施の形態に係る表示装置１１は、前記導光板２３の前記出光面２３２を覆い、周縁部に貫通孔２２２が設けられた光学シートと、一部（嵌入部４６１）が前記凹部３０４に嵌め入れられ、他部（保持部４６２）が前記貫通孔２２２に挿入されることによって、前記光学シートを保持する保持部材４６とを更に備えることを特徴とする。
【０１２４】
本実施の形態に係る表示装置１１は、前記連結部材３５の前記嵌入部３５１が前記凹部３０４に嵌め入れられる方向に長く、前記底板３０の前記端面に連続する切り欠き孔３０８が、前記底板３０の前記一面の前記凹部３０４が設けられている部分に設けられていることを特徴とする。
【０１２５】
本実施の形態に係る表示装置１１は、前記連結部材３５の前記嵌入部３５１は、前記切り欠き孔３０８に挿入される挿入突起３５６を有することを特徴とする。
【０１２６】
本実施の形態に係るテレビジョン受信機１は、本実施の形態に係る表示装置１１と、テレビジョン放送を受信する受信部１２とを備え、該受信部１２にて受信したテレビジョン放送に基づいて、前記表示装置１１に映像を表示するようにしてあることを特徴とする。
【０１２７】
本実施の形態にあっては、連結部材の一部（以下、連結部材の嵌入部という）が、底板の端面に設けられた凹部に嵌め入れられることによって、連結部材が底板に取り付けられる。つまり、連結部材は底板の内部にて底板に取り付けられているので、連結部材を底板に取り付けるための取り付け部を底板の内面に設ける必要がない。従って、表示装置（又は表示装置を備えるテレビジョン受信機）の薄型化及び狭額縁化を図ることができる。
【０１２８】
収容体が外部に露出している場合、収容体を他部材で覆わない分、表示装置（又はテレビジョン受信機）の薄型化及び狭額縁化を図ることができる。
上述した連結部材を介して底板と側板とを連結するので、底板と側板とをネジで連結する必要がない。故に、底板と側板とが連結された収容体を他部材で覆わず外部に露出させた場合であっても、表示装置（又はテレビジョン受信機）の美観を向上させることができる。
【０１２９】
本実施の形態にあっては、複合板製の底板を構成する合成樹脂層に凹部を設ける。故に、底板の端面に容易に凹部を設けることができる。
【０１３０】
本実施の形態にあっては、連結部材の嵌入部が底板の凹部の内面に接触して圧縮されることによって、連結部材の嵌入部に復元力が生じる。連結部材の嵌入部に生じた復元力が連結部材の嵌入部を凹部の内面に押し付けるので、凹部に嵌め入れられた連結部材の嵌入部が凹部から抜け落ちること、及び、凹部の内部での連結部材のガタツキを抑制することができる。
【０１３１】
また、例えば作業者が連結部材の嵌入部に外力を加えることによって連結部材の嵌入部を圧縮すれば、作業者が連結部材の嵌入部を容易に底板の凹部に嵌め入れることができる。
【０１３２】
本実施の形態にあっては、連結部材の他部（以下、連結部材の連結部という）が板バネ状をなす。このような連結部材は構成が簡易である。
【０１３３】
本実施の形態にあっては、連結部材の嵌入部が基部と弾性部材とを有する。
基部に取り付けられた弾性部材が底板の凹部の内面に接触して圧縮されることによって、連結部材の嵌入部に復元力が生じるので、底板の凹部に嵌め入れられた連結部材の嵌入部が凹部から抜け落ちることを抑制することができる。
連結部材の連結部に連続している基部は、高い弾性を有する必要がない。故に、例えば基部が高い剛性を有することによって、連結部材の強度を向上させることができる。
【０１３４】
本実施の形態にあっては、凹部の内面に設けられている穴の内面に、連結部材の嵌入部に設けられている突起が係合する。故に、底板の凹部に嵌め入れられた連結部材の嵌入部が凹部から抜け落ちることを更に抑制することができる。
連結部材の突起は、連結部材の嵌入部が有する弾性によって凹部内面の穴に挿入される方向に付勢される。故に、連結部材の突起が凹部内面の穴から抜け落ちる虞はない。
【０１３５】
本実施の形態にあっては、連結部材の嵌入部が嵌入基部と嵌入部材とを有する。
凹部の内面に設けられている穴には、嵌入部材に設けられている突起が挿入される。嵌入基部及び嵌入部材の一方に設けられている凹状部には、嵌入基部及び嵌入部材の他方に設けられている凸状部が挿入される。従って、底板の凹部に嵌め入れられた連結部材の嵌入部が凹部から抜け落ちることを抑制することができる。
【０１３６】
本実施の形態にあっては、連結部材の連結部が、側板の内面に設けられた凸状の係合部に、収容体の開口側から接触する。故に、収容体の底板が抜け落ちることが抑制される。
連結部材の連結部は弾性を有している。故に、収容体の組み立ての際には、連結部材の連結部が、例えば係合部に接触して圧縮されることによって係合部を迂回し、係合部の迂回後に元の形状に戻って係合部に係合することができる。故に、作業者が収容体を容易に組み立てることができる。
【０１３７】
本実施の形態にあっては、底板の端面と側板との間にスペーサが介在するので、底板の端面と側板とが必要以上に接近する虞がない。従って、底板の端面と側板との相対的な位置ずれによって連結部材の連結部と側板の係合部との係合が無用に解除されることが抑制される。
このようなスペーサは、例えば底板の端面と側板との隙間を埋めて表示装置の美観を向上させるための部材、又は隙間からの漏光を防止するための部材と兼用することができるので、部品点数の削減に寄与する。
【０１３８】
本実施の形態にあっては、位置決め部材の一部が、底板の端面に設けられた凹部に嵌め入れられることによって、位置決め部材が底板に取り付けられる。つまり、位置決め部材は底板の内部にて収容体に取り付けられているので、位置決め部材を収容体に取り付けるための取り付け部を収容体の内部に設ける必要がない。従って、表示装置（又はテレビジョン受信機）の狭額縁化を図ることができる。
位置決め部材の他部が、側板の突出部に設けられている位置決め穴に挿入されるので、底板の端面と側板とが接離する虞がない。従って、底板の端面と側板との相対的な位置ずれによって連結部材の連結部と側板の係合部との係合が無用に解除されることが抑制される。
【０１３９】
本実施の形態にあっては、位置規定部材の一部が底板に係合し、位置規定部材の他部が非係合側板に突設された突片に係合し、非係合側板が側板に連続しているので、底板の端面と側板とが接離する虞がない。従って、底板の端面と側板との相対的な位置ずれによって連結部材の連結部と側板の係合部との係合が無用に解除されることが抑制される。
【０１４０】
本実施の形態にあっては、保持部材の一部が、底板の端面に設けられた凹部に嵌め入れられることによって、保持部材が底板に取り付けられる。つまり、保持部材は底板の内部にて収容体に取り付けられているので、保持部材を収容体に取り付けるための取り付け部を収容体の内部に設ける必要がない。従って、表示装置の狭額縁化を図ることができる。
保持部材は、保持部材の他部が光学シートの貫通孔に挿入されることによって光学シートを保持する簡易な構成である。
【０１４１】
本実施の形態にあっては、切り欠き孔を設けることによって、底板の内面側の強度を底板の外面側の強度よりも小さくすることができる。故に、連結部材の嵌入部が凹部に嵌め入れられることによって底板が変形する場合には、底板の変形は底板の内面側に集中するので、底板の変形が底板の外面側に表れることが抑制される。従って、表示装置の美観を向上させることができる。
【０１４２】
本実施の形態にあっては、連結部材の嵌入部を凹部に嵌め入れる作業者が、底板の嵌入部が有する挿入突起を切り欠き孔に挿入することによって、嵌入部を正確に配置することができる。
【０１４３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【０１４４】
１      テレビジョン受信機
１１    表示装置
１２    受信部
２１    表示パネル
２２    光学シート群（光学シート）
２２２  貫通孔
２３    導光板
２３１  入光端面（光が入射する端面）
２３２  出光面（光が放出される一面）
２３３  非出光面（導光板の他面）
２５２  光源基板
３      収容体
３０    底板
３１〜３３  側板
３０１，３０３  金属層
３０２  樹脂層（合成樹脂層）
３０４，３０６  凹部
３０５  穴
３０８  切り欠き孔
３１１  突出部
３１２  係合部
３１３  位置決め穴
３４    側板（非係合側板）
３４１  突片
３５，３７  連結部材
３５１，３７１  嵌入部（連結部材の一部）
３５２，３７２  連結部（連結部材の他部）
３５３  突起
３５４  基部
３５５  弾性部材
３５６  挿入突起
３６    スペーサ
３７３  嵌入基部
３７４  嵌入部材
３７ｃ  凸状部
３７ｄ  凹状部
３８    位置決め部材
３８１  嵌入部（位置決め部材の一部）
３８２  位置決め部（位置決め部材の他部）
４６    保持部材
４６１  嵌入部（保持部材の一部）
４６２  保持部（保持部材の他部）
４７    位置規定部材
４７２，４７３  突起（位置規定部材の一部及び他部）
【図１】
2018107822.tif 000003
【図２】
2018107822.tif 000004
【図３】
2018107822.tif 000005
【図４】
2018107822.tif 000006
【図５】
2018107822.tif 000007
【図６】
2018107822.tif 000008
【図７】
2018107822.tif 000009
【図８】
2018107822.tif 000010
【図９】
2018107822.tif 000011
【図１０】
2018107822.tif 000012
【図１１】
2018107822.tif 000013
【図１２】
2018107822.tif 000014
【図１３】
2018107822.tif 000015
【図１４】
2018107822.tif 000016
【図１５】
2018107822.tif 000017
【図１６】
2018107822.tif 000018
【図１７】
2018107822.tif 000019
【図１８】
2018107822.tif 000020
【図１９】
2018107822.tif 000021
【図２０】
2018107822.tif 000022
【図２１】
2018107822.tif 000023
【図２２】
2018107822.tif 000024